(57)【要約】      （修正有）【課題】回収部の流入口部分の液面への追従性をより向上させることにより油・スカムをより効率的に且つより確実に回収することができる移動式浮上油回収装置を提供する。【解決手段】液層２内にフロート３１により浮かびながら液面に浮上する回収部３と、液層外に配置されると共に回収部に回収管５を介して接続される分離部６とを有する。回収部と回収管との接続部４は、回収部の下部にフリージョイント機構を介して略水平方向に回動可能に接続されると共に、通液方向を下向きから横向きに変えるＬ字形通液路を有する第１接続部と、該第１接続部の側方に、フリージョイント機構を介して該側方である通液方向を回動軸として回動可能に接続されると共に、通液方向を略直角方向に変える横Ｌ字形通液路を有する第２接続部と、を有し、第２接続部の下流側部分に回収管を接続する。【選択図】図１
0003173520.tif 000002
【実用新案登録請求の範囲】
【請求項１】
油・スカムが水に混入した液層内にフロートにより浮かびながら該液層の液面付近から該液面に浮上する油・スカムを回収する回収部と、
液層外に配置されると共に前記回収部に回収管を介して接続して前記回収部により回収した油・スカムを水から分離する分離部と、
を有して成る移動式浮上油回収装置において、
前記回収部と前記回収管との接続部が、
回収部の下部にフリージョイント機構を介して略水平方向に回動可能に接続されると共に、通液方向を略下向きから略横向きに変えるＬ字形通液路を有する第１接続部と、
該第１接続部の側方に、フリージョイント機構を介して該側方である通液方向を回動軸として回動可能に接続されると共に、通液方向を略直角方向に変える横Ｌ字形通液路を有する第２接続部と、
を有し、
前記第２接続部の下流側に直接又は間接的に前記回収管を接続する構成であること、
を特徴とする移動式浮上油回収装置。
【請求項２】
前記第１接続部の回動範囲が、３６０度であることを特徴とする請求項１に記載の移動式浮上油回収装置。
【請求項３】
前記第２接続部の回動範囲が、下方に円弧を描く略１８０度であることを特徴とする請求項１又は２に記載の移動式浮上油回収装置。
【請求項４】
前記第２接続部の下流側に、３６０度の回動範囲を有する第３接続部が接続され、該第３接続部に回収管が接続される構成であることを特徴とする請求項１〜３のいずれかに記載の移動式浮上油回収装置。
【請求項５】
前記分離部が、前記回収部により回収した油・スカムを水から分離する油水分離槽と、前記回収部より回収した油・スカム及び水を吸引して前記油水分離槽内に送り込むポンプと、油・スカムを分離した水を排出又は前記液層内に戻す処理後戻り管と、を有する構成であることを特徴とする請求項１〜４のいずれかに記載の移動式浮上油回収装置。
【請求項６】
前記フロートが、浮上油・スカムを取り込むための前記回収部の流入口部分が液面付近に保持されるように前記回収部全体を浮上させるシングルフロート構成であることを特徴とする請求項１〜５のいずれかに記載の移動式浮上油回収装置。
【請求項７】
前記フロートが、前記回収部の全体を浮上させる本体フロート部と、浮上油・スカムを取り込むための前記回収部の流入口部分を液面付近の任意の浮上位置に保持設定する浮力調整可能な流入口フロート部と、から構成されるダブルフロート構成であることを特徴とする請求項１〜５のいずれかに記載の移動式浮上油回収装置。
【考案の詳細な説明】
【技術分野】
【０００１】
本考案は移動式浮上油回収装置に関し、詳しくは食品工場等における液層内の浮上油・スカム等を回収する回収部を常に液面に追従させて浮上させるようにした油の回収分離装置に関する。
【背景技術】
【０００２】
浮上油の回収分離装置は、油・スカムが水に混入した液層内にフロートにより浮かびながら該液層の液面付近から該液面に浮上する油・スカムを回収する回収部と、液層外に配置されると共に前記回収部に回収管を介して接続されて前記回収部により回収した油・スカムを水から分離する分離部とから構成されている。
【０００３】
液面に浮上する油・スカムを効率的に且つ確実に回収するためには、回収部の流入口部分が液面に常に追従した状態となることが望ましい。
【０００４】
しかし、回収部は液層外に配置された分離部に回収管を介して接続されていることから、この回収管の撓み性や長さ、形状・材質の癖、更には取り回し等の影響により回収部が傾斜する等して回収部の流入口部分を液面に常に追従させることは困難であった。
【０００５】
そこで本出願人は、上記した従来の課題を解決するために、回収部と回収管との接続部にユニバーサルジョイントを介在させて、接続部が略水平方向に３６０度の範囲で回動する構成とすることにより、液面への追従性を向上させた技術を先に提案した（特許文献１参照）。
【先行技術文献】
【特許文献】
【０００６】
【特許文献１】特許第２５９８８６４号
【考案の概要】
【考案が解決しようとする課題】
【０００７】
本出願人
は、先提案技術について更に研究を続けた結果、回収管の撓み性や長さ、形状・材質の癖、取り回し等の諸条件や、或いは液面変動等による様々な影響を受けた場合であっても回収部の流入口部分を可能な限り液面に追従させることがより重要であり、この追従性の点で更なる改良の余地があることが判った。
【０００８】
そこで本考案の課題は、回収部の流入口部分の液面への追従性をより向上させることにより油・スカムをより効率的に且つより確実に回収することができる移動式浮上油回収装置を提供することにある。
【課題を解決するための手段】
【０００９】
上記課題を解決する本考案は下記構成を有する。
【００１０】
１．油・スカムが水に混入した液層内にフロートにより浮かびながら該液層の液面付近から該液面に浮上する油・スカムを回収する回収部と、
液層外に配置されると共に前記回収部に回収管を介して接続して前記回収部により回収した油・スカムを水から分離する分離部と、
を有して成る移動式浮上油回収装置において、
前記回収部と前記回収管との接続部が、
回収部の下部にフリージョイント機構を介して略水平方向に回動可能に接続されると共に、通液方向を略下向きから略横向きに変えるＬ字形通液路を有する第１接続部と、
該第１接続部の側方に、フリージョイント機構を介して該側方である通液方向を回動軸として回動可能に接続されると共に、通液方向を略直角方向に変える横Ｌ字形通液路を有する第２接続部と、
を有し、
前記第２接続部の下流側に直接又は間接的に前記回収管を接続する構成であること、
を特徴とする移動式浮上油回収装置。
【００１１】
２．前記第１接続部の回動範囲が、３６０度であることを特徴とする上記１に記載の移動式浮上油回収装置。
【００１２】
３．前記第２接続部の回動範囲が、下方に円弧を描く略１８０度であることを特徴とする上記１又は２に記載の移動式浮上油回収装置。
【００１３】
４．前記第２接続部の下流側に、３６０度の回動範囲を有する第３接続部が接続され、該第３接続部に回収管が接続される構成であることを特徴とする上記１〜３のいずれかに記載の移動式浮上油回収装置。
【００１４】
５．前記分離部が、前記回収部により回収した油・スカムを水から分離する油水分離槽と、前記回収部より回収した油・スカム及び水を吸引して前記油水分離槽内に送り込むポンプと、油・スカムを分離した水を排出又は前記液層内に戻す処理後戻り管と、を有する構成であることを特徴とする上記１〜４のいずれかに記載の移動式浮上油回収装置。
【００１５】
６．前記フロートが、浮上油・スカムを取り込むための前記回収部の流入口部分が液面付近に保持されるように前記回収部全体を浮上させるシングルフロート構成であることを特徴とする上記１〜５のいずれかに記載の移動式浮上油回収装置。
【００１６】
７．前記フロートが、前記回収部の全体を浮上させる本体フロート部と、浮上油・スカムを取り込むための前記回収部の流入口部分を液面付近の任意の浮上位置に保持設定する浮力調整可能な流入口フロート部と、から構成されるダブルフロート構成であることを特徴とする上記１〜５のいずれかに記載の移動式浮上油回収装置。
【考案の効果】
【００１７】
請求項１に示す考案によれば、回収部の流入口部分の液面への追従性をより向上させることにより油・スカムをより効率的に且つより確実に回収することができる移動式浮上油回収装置を提供することができる。
【００１８】
特に、回収部と回収管とが回転方向の異なる２段階のフリージョイント機構によって接続されていることにより、回収管の撓み性や長さ、形状・材質の癖、更には取り回し等の影響や液面変動等に対しても回収部の流入口部分の液面への追従性が極めて良好であるため、油・スカムの回収をより効率的に且つより確実に行うことができる。
【００１９】
請求項２に示す考案によれば、回収部が回収する液層に対する分離部の配置場所・接続方向の自由度が高い。
【００２０】
請求項３に示す考案によれば、液面の高低や回収管の長さ等に対しても対処することができる。
【００２１】
請求項４に示す考案によれば、接続部（第２接続部）と回収管との接続部分においても回収部の液面への追従性の向上に寄与することができる。
【００２２】
請求項５に示す考案によれば、回収部により回収した油・スカムを水から分離することができる。
【００２３】
請求項６に示す考案によれば、簡易な構成の回収部により油・スカムの回収が可能である。
【００２４】
請求項７に示す考案によれば、液面に対する回収部の流入口部分の浮上位置の保持が液面変動の影響をより受け難くなる。
【図面の簡単な説明】
【００２５】
【図１】本考案に係る移動式浮上油回収装置の概略構成図
【図２】回収部及び接続部の概略正面図
【図３】図２の概略平面図
【図４】図２のＩＶ線概略断面図
【図５】接続部の要部概略断面図
【図６】回収部の他の実施例を示す概略正面図
【考案を実施するための形態】
【００２６】
次に、添付の図面に従って本考案を詳細に説明する。
【００２７】
本考案に係る移動式浮上油回収装置は、食品工場等における液層内の浮上油・スカム、原油等の流出油、下水処理場のスカム、マシニングセンターのクーラント油、メッキの脱脂工程における浮上油等を回収する回収部を常に液面に追従させて浮上させ、回収部により回収した油・スカムを液層外に配置した分離部に回収管を介して送り込み、油・スカムを水から分離する油の回収分離装置であり、
具体的構成としては、例えば、図１〜図５に示す実施例では、
油・スカム等が水に混入した液層２内にフロート３１により浮かびながら該液層２の液面付近から該液面に浮上する油・スカムを回収する回収部３と、液層２外に配置されると共に前記回収部３に回収管５を介して接続して前記回収部３により回収した油・スカムを水から分離する分離部６と、
を有して成る移動式浮上油回収装置１において、
前記回収部３と前記回収管５との接続部４が、
回収部３の下部にフリージョイント機構（第１被ジョイント部３Ａ及び第１ジョイント部４１Ａ）を介して略水平方向（図４の矢符Ｘ方向）に回動可能に接続されると共に、通液方向を略下向きから略横向きに変えるＬ字形通液路を有する第１接続部４１と、
該第１接続部４１の側方に、フリージョイント機構（第２被ジョイント部４１Ｂ及び第２ジョイント部４２Ａ）を介して該側方である通液方向を回動軸として（図２及び図４の矢符Ｙ方向に）回動可能に接続されると共に、通液方向を略直角方向に変える横Ｌ字形通液路を有する第２接続部４２と、
を有し、
前記第２接続部４２の下流側部分に直接又は間接的（本実施例では第３接続部４３を介して間接的）に前記回収管５を接続する構成を主構成とするものである。
【００２８】
次に、各構成部材について更に説明する。
【００２９】
回収部３は、図１〜図５に示す本実施例ではフロート３１が回収部３全体の浮上を受け持つ本体フロート部３１Ａと流入口部分３２の浮上位置の保持を受け持つ流入口フロート部３１Ｂとを有して成るダブルフロート構成となっている。図２及び図４において、符号３３は流入口フロート部３１Ｂから立設するフロートガイド棒、符号３４は本体フロート部３１Ａ・３１Ａ間に架橋されると共に前記フロートガイド棒３３を上下動可能に遊嵌状態で支持するフロート支持バーを示す。かかる構成により、本体フロート部３１Ａによる浮上とは別に流入口フロート部３１Ｂによる浮上によって細かな液面変動等が生じた場合であっても流入口部分３２を液面付近に保持することができる。
【００３０】
尚、ダブルフロート構成の詳細については、本出願人の先提案技術である特許第３１８１５４１号、同３１３２７５２号、同３１１７４０７号、同２５９８８６４号及び同２１１７３３２号等の構成を参照することができる。
【００３１】
回収部３の流入口部分３２は、液層２の液面付近に保持されることにより液面に浮上している油・スカムを水と共に流入させることで回収する構成であり、具体的な回収構成については上記した先提案技術を参照することができる。
【００３２】
回収部３と回収管５との接続部４は、上記したように第１接続部４１と第２接続部４２と本実施例では更に第３接続部４３とから構成されている。
【００３３】
第１接続部４１は、図１〜図５、特に図５に示すように、フリージョイント機構である回収部３側の第１被ジョイント部３Ａと第１ジョイント部４１Ａによって略水平方向（図４の矢符Ｘ方向）に回動可能に接続された構成となっている。この接続は、その回動範囲を３６０度の全周方向とすることが好ましく、この回動可能によって、回収管５が３６０度のどの方向から接続されても対応することができる。従って、回収部３が回収する液層２に対する分離部６の配置場所・接続方向の自由度を高くすることができる。
【００３４】
回収部３の下部に接続した第１接続部４１に接続する第２接続部４２は、フリージョイント機構である第１接続部４１側の第２被ジョイント部４１Ｂと第２ジョイント部４２によって通液方向を回動軸とする（図２及び図４の矢符Ｙ方向に）回動可能に接続された構成となっている。この接続は、その回動範囲を下方に円弧を描く略１８０度であることが好ましく、この回動範囲によって回収管５が一方の略水平方向から他方の略水平方向までの下方に円弧を描く範囲内のどの方向から接続されても対応することができる。従って、液面の高低や回収管の長さ等に対しても対処することができる。
【００３５】
以上の第１接続部４１と第２接続部４２の両者のフリージョイント機構による接続構成によれば、略水平方向（図４の矢符Ｘ方向）３６０度の回動と下方に円弧を描く略１８０度の回動（図２及び図４の矢符Ｙ方向）との組合せによる回動範囲によって、回収管５の撓み性や長さ、形状・材質の癖、更には取り回し等の影響に対しても回収部３の流入口部分３２の液面への追従性が極めて良好であるため、油・スカムの回収をより効率的に且つより確実に行うことができる。
【００３６】
また本実施例では第３接続部４３が採用されており、該第３接続部４３は前記第２接続部４２の下流側に接続されるものであり、フリージョイント機構である第２接続部４２側の第３被ジョイント部４２Ｂと第３ジョイント部４３Ａによって、この第３接続部４３に接続する回収管５を第２接続部４２に対して３６０度の回動範囲で（図４の矢符Ｚ方向に）回動可能に接続するものである。この接続によって、回収部３の液面への追従性を更に向上させることができる。
【００３７】
以上の構成を有する回収部３によって回収される油・スカムは、前述したように回収管５を介して分離部６に送られ、油・スカムは水から分離されることになる。
【００３８】
回収管５は、この種の浮上油の回収装置に用いられる公知公用の管・ホース・サクションホース等を特別の制限なく用いることができ、好ましくは屈曲性・柔軟性に優れると共に耐油性・耐薬品性等に優れた管類を用いることである。
【００３９】
分離部６は、この種の浮上油の回収装置やその他の油水分離装置に用いられる公知公用の分離部構成を特別の制限なく用いることができる。本実施例では、図１に示すように、回収部３により回収した油・スカムを水から分離する油水分離槽６１と、前記回収部３より回収した油・スカム及び水を吸引して前記油水分離槽６１内に送り込むポンプ６２と、油・スカムを分離した水を排出又は前記液層２内に戻す処理後戻り管６３と、を有する。更に本実施例では、油水分離槽６１の前経路に不純物を除去するストレーナ６４を配設すると共に、分離した油・スカムを貯留する廃油槽６５を配設している。尚、図１に示す本実施例では、分離部６は台車部６６に積載されており、食品工場内等の処理現場において移動可能な構成を採っている。
【００４０】
以上、本考案に係る移動式浮上油回収装置は、上記実施例に限定されず、本考案の範囲内において種々の態様を採ることができる。
【００４１】
例えば、フロート３１の構成としては、上記した実施例に示すダブルフロート構成のものに限らず、図６に示すように、回収部３のフロート３１が流入口部分３２を含む回収部３全体の浮上を受け持つシングルフロート構成であってもよい。シングルフロート構成の詳細については、本出願人の先提案技術である特許３１５５２３５号及び同２９６０８５４号等を参照することができる。
【符号の説明】
【００４２】
１  移動式浮上油回収装置
２  液層
３  回収部
３Ａ  第１被ジョイント部
３１  フロート
３１Ａ  本体フロート部
３１Ｂ  流入口フロート部
３２  流入口部分
３３  フロートガイド棒
３４  フロート支持バー
４  接続部
４１  第１接続部
４１Ａ  第１ジョイント部
４１Ｂ  第２被ジョイント部
４２  第２接続部
４２Ａ  第２ジョイント部
４２Ｂ  第３被ジョイント部
４３  第３接続部
４３Ａ  第３ジョイント部
５  回収管
６  分離部
６１  油水分離槽
６２  ポンプ
６３  処理後戻り管
６４  ストレーナ
６５  廃油槽
６６  台車部
【図１】
0003173520.tif 000003
【図２】
0003173520.tif 000004
【図３】
0003173520.tif 000005
【図４】
0003173520.tif 000006
【図５】
0003173520.tif 000007
【図６】
0003173520.tif 000008